(57)【特許請求の範囲】
【請求項１】
サービス共有されようとするユーザーの身分識別情報を記憶するためのユーザー身分識別情報データベースと、
ユーザー端末がある位置及び要求されたサービスの種類に応じて、前記ユーザー身分識別情報データベースから適合なユーザー身分識別情報を選択してユーザーに配分するための呼出管理システムと、
前記呼出管理システムと通信し、前記呼出管理システムが配分したユーザー身分識別情報を取得し、前記呼出管理システムが配分したユーザー身分識別情報によって対応する通信事業者システムと通信し、ユーザーが要求したサービスを取得するためのサービスアクセス装置と、を含み、
前記呼出管理システムは、インターネット又はイントラネットによって前記ユーザー身分識別情報データベースと接続されることを特徴とする、
サービス共有システム。
【請求項２】
前記呼出管理システムは、
ユーザーのサービス要求を受信し、前記ユーザーへユーザーに配分したユーザー身分識別情報を返するためのユーザーアクセス管理ユニットと、
前記ユーザーアクセス管理ユニットが取得したサービス要求に応じて、前記ユーザー身分識別情報データベースを検索し、適合なユーザー身分識別情報を選択して前記ユーザーアクセス管理ユニットへ返するためのユーザー身分識別情報呼出ユニットと、を含み、
前記サービス要求には、ユーザー端末がある位置及びユーザーが要求したサービスの種類が含まれていることを特徴とする、
請求項１に記載のサービス共有システム。
【請求項３】
前記呼出管理システムは、
前記ユーザーアクセス管理ユニットにアクセスしたユーザーのサービス使用費用情報を管理するためのサービス課金管理ユニットを更に含むことを特徴とする、
請求項２に記載のサービス共有システム。
【請求項４】
前記呼出管理システムは、
ユーザーの登録情報を記憶するためのユーザー登録情報データベースを更に含むことを特徴とする、
請求項２又は３に記載のサービス共有システム。
【請求項５】
前記サービスアクセス装置は、
前記呼出管理システムにサービス要求を送信し、前記呼出管理システムがユーザーに配分したユーザー身分識別情報を取得するためのアクセス要求ユニットと、
前記ユーザーに配分したユーザー身分識別情報によって対応する通信事業者システムと通信し、要求されたサービスを取得するためのサービスアクセスユニットと、を含むことを特徴とする、
請求項１に記載のサービス共有システム。
【請求項６】
前記サービスアクセス装置は、
前記サービスアクセスユニットと通信事業者システムとが確立した通信チャネルを他の装置に提供して使用するためのサービス共有ユニットを更に含むことを特徴とする、
請求項５に記載のサービス共有システム。
【請求項７】
ユーザーのサービス要求を受信し、前記ユーザーにユーザーに配分したユーザー身分識別情報を返するためのユーザーアクセス管理ユニットと、
前記ユーザーアクセス管理ユニットが取得したサービス要求に応じて、適合なユーザー身分識別情報を選択して前記ユーザーアクセス管理ユニットに返するためのユーザー身分識別情報呼出ユニットと、を含み、
前記サービス要求には、ユーザー端末がある位置及びユーザーが要求したサービスの種類が含まれ、
前記ユーザー身分識別情報呼出ユニットは、インターネット又はイントラネットによって前記適合なユーザー身分識別情報を取得することを特徴とする、
呼出管理システム。
【請求項８】
当該呼出管理システムは、
前記ユーザーアクセス管理ユニットにアクセスしたユーザーのサービス使用費用情報を管理するためのサービス課金管理ユニットを更に含むことを特徴とする、
請求項７に記載の呼出管理システム。
【請求項９】
当該呼出管理システムは、
ユーザーの登録情報を記憶するためのユーザー登録情報データベースを更に含むことを特徴とする、
請求項７又は８に記載の呼出管理システム。
【請求項１０】
サービス共有を提供する１つ又は複数のＳＩＭカードが挿入されることができ、実体のＳＩＭカードに対する、サービス共有を提供するＳＩＭカードのローカル端末の読書き手順をシミュレーションするための少なくとも１つのＳＩＭカード読書き装置と、
ユーザー端末がある位置及び要求されたサービス種類に応じて、前記ＳＩＭカード読書き装置に挿入されたＳＩＭカードから適合なＳＩＭを選択してユーザーに配布するためのＳＩＭ呼出管理システムと、
前記ＳＩＭ呼出管理システムと通信し、前記ＳＩＭ呼出管理システムが配分したＳＩＭを取得し、前記ＳＩＭ呼出管理システムが配分したＳＩＭによって対応する通信事業者システムと通信し、ユーザーが要求したサービスを取得するための少なくとも１つの多重チャネル通信装置と、を含み、
前記ＳＩＭはＳＩＭ機能を有する知能カード又はＳＩＭデータであり、
前記ＳＩＭ呼出管理システムは、インターネット又はイントラネットによって前記少なくとも１つのＳＩＭカード読書き装置と接続されることを特徴とする、
ＳＩＭに基づくサービス共有システム。
【請求項１１】
前記ＳＩＭカード読書き装置は、
少なくとも１つのＳＩＭカード読書きチップと、
ＳＩＭカード読書きチップに１対１に接続される少なくとも１つのＳＩＭカードスロットと、
ＳＩＭカードに対する前記ＳＩＭカード読書きチップの読書きを制御し、ＳＩＭカード属性情報を生成するためのＳＩＭカード管理ユニットと、
前記ＳＩＭカード管理ユニットが生成したＳＩＭカード属性情報を記憶するためのＳＩＭカード属性データベースと、を含むことを特徴とする、
請求項１０に記載のＳＩＭに基づくサービス共有システム。
【請求項１２】
前記ＳＩＭ呼出管理システムは、
前記ＳＩＭカード読書き装置でのＳＩＭカードのＳＩＭデータを記憶するためのＳＩＭデータベースと、
ユーザーが前記多重チャネル通信装置によって送信したサービス要求を受信し、前記多重チャネル通信装置へユーザーに配分したＳＩＭカードパラメータを返し、且つ前記多重チャネル通信装置が送信した前記ＳＩＭカードパラメータの認証パケットを受信し、前記多重チャネル通信装置へ対応する認証結果を返するためのユーザーアクセス管理ユニットと、
該ユーザーアクセス管理ユニットが送信したユーザーのサービス要求に応じて、前記ＳＩＭデータベースを検索し、適合なＳＩＭを選択し、対応するＳＩＭカードパラメータを前記ユーザーアクセス管理ユニットへ返するためのＳＩＭ呼出ユニットと、
前記ユーザーアクセス管理ユニットが送信した前記ＳＩＭカードパラメータの認証パケットによって、前記ＳＩＭカード読書き装置に転送し、前記ＳＩＭカード読書き装置が算出した認証結果を前記ユーザーアクセス管理ユニットへ返するためのＳＩＭ読書き管理ユニットと、を含むことを特徴とする、
請求項１０に記載のＳＩＭに基づくサービス共有システム。
【請求項１３】
前記ＳＩＭ呼出管理システムは、
前記ユーザーアクセス管理ユニットにアクセスしたユーザーの通信流量及び費用情報を管理するための流量課金管理ユニットを更に含むことを特徴とする、
請求項１２に記載のＳＩＭに基づくサービス共有システム。
【請求項１４】
前記ＳＩＭ呼出管理システムは、
ユーザーの登録情報を記憶するためのユーザー情報データベースを更に含むことを特徴とする、
請求項１２又は１３に記載のＳＩＭに基づくサービス共有システム。
【請求項１５】
前記多重チャネル通信装置は、
ユーザーＳＩＭが所属する通信事業者システムと通信し、管理チャネルを確立するための管理チャネル確立ユニットと、
前記管理チャネルを介して前記ＳＩＭ呼出管理システムへユーザーのサービス要求を送信し、前記ＳＩＭ呼出管理システムがユーザーに配分したＳＩＭカードパラメータを受信するためのＳＩＭデータロードユニットと、
前記管理チャネルを介して対応する通信事業者システムに前記ＳＩＭカードパラメータを送信し、前記通信事業者システムが返した認証要求を受信し、前記ＳＩＭ呼出管理システムに前記認証要求における認証パケットを送信し、且つ前記ＳＩＭ呼出管理システムが返した認証結果を受信するための認証算出ユニットと、
前記ＳＩＭデータロードユニットが取得したＳＩＭカードパラメータ及び前記認証算出ユニットが取得した認証結果によって、前記ＳＩＭカードパラメータに対応する通信事業者システムと通信し、サービスチャネルを確立するためのサービスチャネル確立ユニットと、を含むことを特徴とする、
請求項１０に記載のＳＩＭに基づくサービス共有システム。
【請求項１６】
前記多重チャネル通信装置は、
前記サービスチャネル確立ユニットと通信事業者システムとが確立したサービスチャネルを他の装置に提供して使用するためのサービスチャネル共有ユニットを更に含むことを特徴とする、
請求項１５に記載のＳＩＭに基づくサービス共有システム。
【発明の詳細な説明】
【技術分野】
【０００１】
本発明は通信分野に属し、特に、サービス共有システム及び装置に関する。
【背景技術】
【０００２】
現在、携帯電話、データカード、ホットスポット装置等を含む通信端末は、いずれも装置に挿入される加入者識別モジュール（Ｓｕｂｓｃｒｉｂｅｒ  Ｉｄｅｎｔｉｔｙ  Ｍｏｄｕｌｅ，ＳＩＭ）しか用いて、通信事業者ネットワークと接続を確立できない。ＳＩＭは、通信事業者が発行し、端末装置をサービスにアクセスするように制御するための唯一な認証ＩＤである。ＳＩＭに基づき、端末装置は、データ、音声等のサービスを享受することができる。
【０００３】
一般に、通信事業者が装置におけるＳＩＭとバインディングされていることが多いため、１つの端末は、現在のＳＩＭが指定したある通信事業者が提供した音声及びデータ等のサービスのみ利用でき、このようにして、ユーザーに多くの不便をもたらし、例えば、ユーザーが信号の強さ、位置情報等によって適当な通信事業者のサービスを選択することができなく、又は、ユーザーがローミングする時、元の通信事業者とローミングサービス契約をした通信事業者のサービスしか選択できなく、ローカルなユーザーよりも多いサービス費用を支払わなければならなく、又は、ユーザーのプランには余裕がある場合に、他のユーザーに共有及び交換することができなく、無駄にするしかなく、又は、ユーザーのプランには流量が足りない場合に、サービスを一時に享受するのが不便であり、又は、通信事業者費用プランに制限されて、ユーザーが必要に応じて帯域幅を使用し、流量により費用を支払うことを真に実現することができなく、又は、ユーザーが実際の需要に応じてほしい業務、例えば、帯域幅、メッセージを増加する等の業務を動的に取得しにくい。
【発明の概要】
【発明が解決しようとする課題】
【０００４】
本発明の実施例は、個人やグループのユーザー身分識別情報が有するサービスの共有を実現するサービス共有システムを提供する。
【課題を解決するための手段】
【０００５】
本発明の実施例は、
サービス共有されようとするユーザー身分識別情報を記憶するためのユーザー身分識別情報データベースと、
ユーザー端末がある位置及び要求されたサービスの種類に応じて、前記ユーザー身分識別情報データベースから適合なユーザー身分識別情報を選択してユーザーに配分するための呼出管理システムと、
前記呼出管理システムと通信し、前記呼出管理システムが配分したユーザー身分識別情報を取得し、前記呼出管理システムが配分したユーザー身分識別情報によって対応する通信事業者システムと通信し、ユーザーが要求したサービスを取得するためのサービスアクセス装置と、を含むサービス共有システム、によって実現される。
【０００６】
本発明の実施例は、
ユーザーのサービス要求を受信し、前記ユーザーへユーザーに配分したユーザー身分識別情報を返するためのユーザーアクセス管理ユニットと、
前記ユーザーアクセス管理ユニットが取得したサービス要求に応じて、適合なユーザー身分識別情報を選択して前記ユーザーアクセス管理ユニットに返するためのユーザー身分識別情報呼出ユニットと、を含み、
前記サービス要求には、ユーザー端末がある位置及びユーザーが要求したサービスの種類が含まれている呼出管理システムを更に提供する。
【０００７】
本発明の実施例は、
ユーザーのサービス要求を送信し、ユーザーに配分したユーザー身分識別情報を取得するためのアクセス要求ユニットと、
前記ユーザーに配分したユーザー身分識別情報によって対応する通信事業者システムと通信し、要求されたサービスを取得するためのサービスアクセスユニットと、を含むサービスアクセス装置を更に提供する。
【０００８】
本発明の実施例は、
サービス共有を提供する１つ又は複数のＳＩＭカードが挿入されることができ、実体のＳＩＭカードに対する、サービス共有を提供するＳＩＭカードのローカル端末の読書き手順をシミュレーションするための少なくとも１つのＳＩＭカード読書き装置と、
ユーザー端末がある位置及び要求されたサービス種類に応じて、前記ＳＩＭカード読書き装置に挿入されたＳＩＭカードから適合なＳＩＭを選択してユーザーに配布するためのＳＩＭ呼出管理システムと、
前記ＳＩＭ呼出管理システムと通信し、前記ＳＩＭ呼出管理システムが配分したＳＩＭを取得し、前記ＳＩＭ呼出管理システムが配分したＳＩＭによって対応する通信事業者システムと通信し、ユーザーが要求したサービスを取得するための少なくとも１つの多重チャネル通信装置と、を含み、
前記ＳＩＭはＳＩＭ機能を有する知能カード又はＳＩＭデータであるＳＩＭに基づくサービス共有システムを更に提供する。
【０００９】
本発明の実施例において、ユーザーは、必要に応じて適合なユーザー身分識別情報、例えばＳＩＭを取得し、個人やグループユーザーの身分識別情報が有するサービスの共有を実現し、これによって、異なる国同士間や異なるネットワーク（通信事業者）同士間、異なる技術標準同士間、異なる業務（データ、音声、ビデオ等）同士間のネットワークアクセスサービスを取得することができる。
【図面の簡単な説明】
【００１０】
【図１】本発明の実施例によるサービス共有システムの構成図である。
【図２】本発明の実施例による呼出管理システムの構成図である。
【図３】本発明の実施例によるサービスアクセス装置の構成図である。
【図４】本発明の実施例によるＳＩＭに基づくサービス共有システムの構成図である。
【図５】本発明の一実施例によるＳＩＭカード読書き装置の構成図である。
【図６】本発明の一実施例によるＳＩＭ呼出管理システムの構成図である。
【図７】本発明の一実施例による多重チャネル通信装置の構成図である。
【図８】本発明の一実施例によるＳＩＭ共有の実現フローチャートである。
【図９】本発明の一実施例による、ユーザーが複数のＳＩＭの異なる業務の組み合わせを取得する実現フローチャートである。
【発明を実施するための形態】
【００１１】
本発明の目的、技術態様及びメリットを明確にするために、以下、図面及び実施例を参照して、本発明をさらに詳細に説明する。理解すべきのは、ここに記載した具体的な実施例は本発明を解釈するためのものだけであり、本発明を限定するものではない。
【００１２】
本発明の実施例は、ユーザーの需要に応じてユーザーに適合なユーザー身分識別情報を自動に配分することによって、ユーザーは、異なる国同士間や異なるネットワーク（通信事業者）同士間、異なる技術標準同士間、異なる業務同士間のネットワークアクセスサービスを取得することができ、かつ、個人やグループが有するユーザー身分識別情報、例えばＳＩＭの共有を実現した。
【００１３】
図１には、本発明の実施例によるサービス共有システムの構成を示し、説明の都合上、本発明の実施例に関連する部分のみを示した。
【００１４】
ユーザー身分識別情報データベース１１には、サービス共有されようとするユーザー身分識別情報が記憶されている。
【００１５】
本発明の実施例において、ユーザー身分識別情報は通信事業者がユーザーに対して認証することに用いられ、例えば、移動通信事業者のユーザーのＳＩＭデータ、リアルタイム通信ユーザーのリアルタイム通信識別に対応したパスワード、ＷＩＦＩユーザーのパスワード、ｘＤＳＬユーザーのユーザー名、パスワードなどが挙げられる。
【００１６】
呼出管理システム１２はユーザー端末がある位置及び要求されたサービスの種類に応じて、ユーザー身分識別情報データベース１１から適合なユーザー身分識別情報を選択してユーザーに配分する。
【００１７】
本発明の実施例において、要求されたサービスの種類はビデオ、音声又はデータ等でよい。
【００１８】
サービスアクセス装置１３は呼出管理システム１２が配分したユーザー身分識別情報によって対応する通信事業者システム１４と通信し、ユーザーが要求したサービスを取得する。
【００１９】
本発明の実施例において、ユーザー身分識別情報データベース１１は呼出管理システム１２に設置されてもよく、呼出管理システム１２から独立して呼出管理システム１２により呼び出されてもよい。
【００２０】
本発明の実施例において、サービスアクセス装置１３はＵＳＢ等の方式によりユーザー端末接続と通信してもよく、ユーザー端末に内蔵されてもよい。
【００２１】
図２には、本発明の実施例による呼出管理システムの構成を示し、説明の都合上、本発明の実施例に関連する部分のみを示した。
【００２２】
ユーザーアクセス管理ユニット１２１は、サービスアクセス装置１３のサービス要求を受信し、サービスアクセス装置１３へユーザーに配分したユーザー身分識別情報を返する。
【００２３】
本発明の実施例において、サービス要求には、ユーザー端末がある位置及び要求されたサービスの種類が含まれている。
【００２４】
ユーザー身分識別情報呼出ユニット１２２は、ユーザーアクセス管理ユニット１２１が送信したユーザーのサービス要求に応じて、ユーザー身分識別情報データベース１１を検索し、適合なユーザー身分識別情報を選択してユーザーアクセス管理ユニット１２１へ返する。
【００２５】
本発明の一実施例として、ユーザー身分識別情報の共有をさらによく実現するために、決済を便利にするように、ユーザーが取得したサービスの流量、費用等に対して管理する必要がある。
【００２６】
呼出管理システム１２は、ユーザーアクセス管理ユニット１２１にアクセスしたユーザーのサービス使用費用情報を管理するサービス課金管理ユニット１２３を更に含む。
【００２７】
本発明の一実施例として、呼出管理システム１２は、ユーザーの登録情報を記憶するためのユーザー情報データベース１２４を更に含むこれによって、サービス要求を供給したユーザーに対して身分検証を行うようにする。
【００２８】
図３には、本発明の実施例によるサービスアクセス装置の構成を示し、説明の都合上、本発明の実施例に関連する部分のみを示した。
【００２９】
アクセス要求ユニット１３１は、呼出管理システム１２へサービス要求を送信し、呼出管理システム１２が返したユーザー身分識別情報を取得する。
【００３０】
サービスアクセスユニット１３２は、呼出管理システム１２が返したユーザー身分識別情報によって対応する通信事業者システム１４と通信し、要求されたサービスを取得する。
【００３１】
本発明の実施例において、サービスアクセスユニット１３２が取得したサービスはデータ、音声、ビデオ等のサービスを含む。
【００３２】
本発明の１つの好ましい実施例として、サービスアクセスユニット１３２は、対応する通信事業者システムと通信して要求されたサービスを取得した時、サービスを取得した通信チャネルがブルートゥース（Ｂｌｕｅ  Ｔｏｏｔｈ（登録商標），ＢＴ）、ＷＩＦＩ又は近距離無線通信（Ｎｅａｒ  Ｆｉｅｌｄ  Ｃｏｍｍｕｎｉｃａｔｉｏｎ，ＮＦＣ）等の形式により他のユーザー装置に共有されることができる。
【００３３】
データサービス共有ユニット１３３は、サービスアクセスユニット１３２と通信事業者システムとが確立した通信チャネルを他の装置に提供して使用する。
【００３４】
本発明の一実施例として、ユーザー身分識別情報はＳＩＭ機能を有する知能カード、例えば、実体のＳＩＭカード、ＵＳＩＭカード、Ｒ−ＵＩＭカード及びＳＩＭ機能を有する他の知能カードでよい。
【００３５】
本発明の他の一実施例として、ユーザー身分識別情報はＳＩＭデータでもよい。
【００３６】
図４には、本発明の実施例によるＳＩＭに基づくサービス共有システムの構成を示し、説明の都合上、本発明の実施例に関連する部分のみを示す。
【００３７】
このシステムは、ＳＩＭ呼出管理システム４１と、ＳＩＭ呼出管理システム４１に接続されて通信する少なくとも１つのＳＩＭカード読書き装置４２及び少なくとも１つの多重チャネル通信装置４３とを含む。
【００３８】
ＳＩＭカード読書き装置４２毎に、サービス共有を提供する１つ又は複数のＳＩＭカードが挿入されることができる。
【００３９】
本発明の実施例において、具体的な応用により、ＳＩＭカード読書き装置４２はハードウェアの形態上で３種類の異なる規格及び容量を有してよい。
【００４０】
第１種類は、大グループに基づくＳＩＭラック（ＳＩＭ  Ｒａｃｋ）であり、事業者レベルのユーザーに適し、数十枚以上のＳＩＭカードの読書き及び記憶をサポートし、有線又は無線の大帯域幅通信の機能を有する。
【００４１】
第２種類は、小グループに基づくＳＩＭアレイ（ＳＩＭ  Ａｒｒａｙ）であり、企業レベルのユーザーに適し、数枚から数十枚のＳＩＭカードの読書き及び記憶をサポートし、有線又は無線のある程度の帯域幅通信の機能を有する。
【００４２】
第３種類は、個人に基づくＳＩＭボックス（ＳＩＭ  Ｂｏｘ）であり、個人又は家庭レベルのユーザーに適し、サービス共有を提供する１つ又は複数のＳＩＭカードの読書き及び記憶をサポートし、サービス時間帯に無線又は有線通信の形式によりオンラインを保持する機能を有する。
【００４３】
本発明の一実施例として、ＳＩＭボックスは専用の端末によって実現されてもよく、従来の端末、例えば、携帯電話、カードリーダー等によって対応したクライアントソフトウェアに合わせて実現されてもよい。
【００４４】
本発明の実施例において、ＳＩＭカード読書き装置４２は有線又は無線通信機能を備える必要があり、帯域幅は少なくともその上に挿入されたすべてのＳＩＭカードのアクセスに必要な総帯域幅を満たす必要がある。
【００４５】
本発明の実施例において、ＳＩＭカード読書き装置４２は必要に応じてＩｎｔｅｒｎｅｔ、Ｉｎｔｒａｎｅｔに基づいて集中又は分散的に設置されてよい。
【００４６】
本発明の一実施例として、サービス共有を提供する複数のＳＩＭカード読書き装置４２はＩｎｔｅｒｎｅｔ又はＩｎｔｒａｎｅｔを介してネットワーク化のＳＩＭカード読書きシステムを形成してよい。
【００４７】
ＳＩＭ呼出管理システム４１は、ユーザー端末がある位置及び要求されたサービス種類に応じて、且つユーザーが位置するネットワーク環境、ユーザーの属性などを考慮して、ＳＩＭカード読書き装置４２に挿入されたＳＩＭカードから適合なＳＩＭを選択してユーザーに配分することで、ユーザーが異なる国同士間や異なるネットワーク（通信事業者）同士間、異なる技術標準同士間、異なる業務同士間のネットワークアクセスサービスを享受することを実現し、かつ個人又はグループＳＩＭが有するサービスの共有を実現する。
【００４８】
多重チャネル通信装置４３は、ユーザー端末側に位置し、独立な装置としてユーザー端末に接続されてもよく、ユーザー端末に集積してもよい。
【００４９】
本発明の実施例において、多重チャネル通信装置４３は１枚又は複数枚の実体のＳＩＭカードに対する読書きをサポートし、かつＳＩＭ呼出管理システム４１が配分したＳＩＭを介して通信事業者システムに接続されて通信し、これによって、通信事業者が提供したサービスを取得する。
【００５０】
本発明の実施例において、多重チャネル通信装置４３は、広域ネットワーク同士接続を確立するための、２つ以上の公衆ネットワーク無線チャネル、例えば、２Ｇ、３Ｇ、４Ｇ、ＷＩＦＩ、ＢＴ等を有する。
【００５１】
多重チャネル通信装置４３はイントラネット接続を実現する１つ又は複数のＷＩＦＩ、ＢＴ又はＮＦＣのネットワークチャネルを更に有する。
【００５２】
本発明の実施例において、多重チャネル通信装置４３は挿入されたユーザーＳＩＭカードを介して、このＳＩＭカードが所属する通信事業者システムに登録し、この通信事業者が提供したネットワークサービスを取得し、２Ｇ、３Ｇ、４Ｇ、ＷＩＦＩ等に基づく移動通信データチャネルを確立し、ＳＩＭ呼出管理システム４１との間のＩｎｔｅｒｎｅｔ又はＩｎｔｒａｎｅｔネットワーク接続を実現し、これによって、ＳＩＭ呼出管理システム４１との間の管理チャネルを確立し、ＳＩＭ呼出管理システム４１との通信を実現する。
【００５３】
多重チャネル通信装置４３は、コンピュータ、スマートフォン、ＰＡＤ等が提供したネットワークチャネルを介して、ＢＴ、ＷＩＦＩ、ＮＦＣ等によってＳＩＭ呼出管理システム４１との間のＩｎｔｅｒｎｅｔ又はＩｎｔｒａｎｅｔネットワーク接続を実現し、ＳＩＭ呼出管理システム４１との間の管理チャネルを確立し、ＳＩＭ呼出管理システム４１との通信を実現する。
【００５４】
多重チャネル通信装置４３は、管理チャネルを介してＳＩＭ呼出管理システム４１に接続され、ユーザーの安全認証等を完成することができる。
管理チャネルの確立後、多重チャネル通信装置４３はＳＩＭ呼出管理システム４１と通信し、ＳＩＭ呼出管理システム４１にサービス要求情報を送信し、ＳＩＭ呼出管理システム４１が配分したＳＩＭを取得する。
【００５５】
本発明の一実施例として、ＳＩＭ呼出管理システム４１がユーザーにもっと適合なＳＩＭを選択するために、多重チャネル通信装置４３がＳＩＭ呼出管理システム４１へ送信したサービス要求情報には、ユーザー端末が所属する移動基地局の信号の強さ、周辺のＷＩＦＩホットスポットのＳＳＩＤ情報、ユーザーＩＤ情報等の情報が更に含まれている。
【００５６】
多重チャネル通信装置４３はこのＳＩＭによって対応する通信事業者との認証検証を完成することによって、通信事業者システムとの間のサービスチャネルを確立し、このサービスチャネルを介して対応する通信事業者システムと通信し、ユーザーが要求したサービスを取得する。
【００５７】
本発明の実施例において、多重チャネル通信装置４３はサービスチャネルを確立した後、管理チャネルをオフにしてもよく、オンラインにしてもよい。
【００５８】
本発明の他の一実施例として、多重チャネル通信装置４３はサービスチャネルが取得したサービス、特にデータ、音声サービス等をＢＴ、ＷＩＦＩ又はＮＦＣ等の形式により他のユーザー装置に共有することができる。
【００５９】
本発明の実施例において、多重チャネル通信装置４３は全世界のほとんどの通信事業者の異なるネットワーク標準によるアクセス、例えば、ＧＳＭ（登録商標）、ＧＰＲＳ、ＥＤＧＥ、ＣＤＭＡ、ＥＶＤＯ、ＵＭＴＳ、ＬＴＥ、ＷＩＦＩ、固定広帯域、Ｃａｂｌｅ等をサポートし、ユーザー端末は必要に応じて適合なアクセス方式を採用し、異なる国家の異なる通信事業者が提供したサービスを享受することができる。
図５には、本発明の一実施例によるＳＩＭカード読書き装置の構成を示し、説明の都合上、本発明の実施例に関連する部分のみを示す。
【００６０】
ＳＩＭカード読書き装置４２は少なくとも１つのＳＩＭカード読書きチップ４２１、及び少なくとも１つのＳＩＭカードスロット４２２を含み、１つのＳＩＭカードスロットが１つのＳＩＭカード読書きチップに接続される。
【００６１】
ＳＩＭカード読書きチップ４２１はＳＩＭカード管理ユニット４２３の制御下で、ＳＩＭカードスロット４２２上のＳＩＭカードに対する読書きを実現する。
【００６２】
ＳＩＭカード管理ユニット４２３はＳＩＭカード読書きチップ４２１のＳＩＭカードに対する読書きを制御し、ＳＩＭカード属性情報を生成する。
【００６３】
本発明の実施例において、ＳＩＭカード管理ユニット４２３はＳＩＭカードスロット４２２へのＳＩＭカードの装着を検出し、ＳＩＭカードのスロット位置を生成し、そして、ＳＩＭカードが有効であるか否かを判断する。同時に、ＳＩＭカード読書きを制御し、ＳＩＭカード属性情報を生成する。
【００６４】
本発明の一実施例として、ＳＩＭカード管理ユニット４２３は各ＳＩＭカードの使用状況を更に記録する。
【００６５】
また、ＳＩＭカード管理ユニット４２３は装置警報、システムへの温度、ポート状況等のパラメータの送信の機能を有してもよい。
【００６６】
ＳＩＭカード属性データベース４２４はＳＩＭカード管理ユニット４２３が生成したＳＩＭカード属性情報を記憶し、ＳＩＭカードの集積回路カードアイデンティティー（Ｉｎｔｅｇｒａｔｅ  ｃｉｒｃｕｉｔ  ｃａｒｄ  ｉｄｅｎｔｉｔｙ，ＩＣＣＩＤ）、国際移動ユーザーアイデンティティー（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ，ＩＭＳＩ）、個人識別パスワード（Ｐｅｒｓｏｎａｌ  Ｉｄｅｎｔｉｆｉｃａｔｉｏｎ  Ｎｕｍｂｅｒ，ＰＩＮ）を含む。
【００６７】
図６には、本発明の一実施例によるＳＩＭ呼出管理システムの構成を示し、説明の都合上、本発明の実施例に関連する部分を示す。
【００６８】
ＳＩＭデータベース４１１はＳＩＭカード読書き装置４２に挿入されたＳＩＭカードのＳＩＭデータを記憶し、例えば、通信事業者が提供したＳＩＭ、様々なＷＩＦＩサービスのサービスセット識別子（Ｓｅｒｖｉｃｅ  Ｓｅｔ  Ｉｄｅｎｔｉｆｉｅｒ，ＳＳＩＤ）、固定通信事業者のユーザー名パスワード等、及び対応したＳＩＭが有する業務、例えばデータ帯域幅、音声通信及び対応する費用プラン等の情報を含む。
【００６９】
本発明の一実施例として、ＳＩＭデータベース４１１が記憶したＳＩＭデータには、異なる区域、異なる通信事業者の様々な標準が含まれ、データ、音声、メッセージ、ビデオ通話等を含む様々な業務をサポートする。
【００７０】
ユーザーアクセスユニット４１２はユーザーが多重チャネル通信装置４３によって送信した、ユーザー端末がある位置及び要求されたサービス種類等を含むサービス要求情報を受信して、ＳＩＭ呼出ユニット４１３に転送する。
【００７１】
ＳＩＭ呼出ユニット４１３はユーザーのサービス要求情報に応じてＳＩＭデータベースを検索し、適合なＳＩＭを選択してユーザーに配分し、対応するＳＩＭカードパラメータをユーザーアクセスユニット４１２に返する。
ユーザーアクセスユニット４１２はユーザーが配分したＳＩＭカードパラメータを多重チャネル通信装置４３に返する。
【００７２】
多重チャネル通信装置４３はこのＳＩＭカードパラメータによって対応する通信事業者システムに登録し、通信事業者システムが返した、ＳＩＭカードに算出させる必要がある乱数、認証秘密キー等の認証パケットが含まれる認証要求を受信する。
【００７３】
多重チャネル通信装置４３はＳＩＭカードに算出させる必要がある認証パケットをユーザーアクセスユニット４１２に送信する。
【００７４】
ユーザーアクセスユニット４１２は多重チャネル通信装置４３が送信したこのＳＩＭカードパラメータの認証パケットを受信し、ＳＩＭ読書き管理ユニット４１４に転送する。
【００７５】
ＳＩＭ読書き管理ユニット４１４はユーザーアクセスユニット４１２が転送した認証パケットをＳＩＭカード読書き装置４２に転送し、ＳＩＭカード読書き装置４２によって対応するＳＩＭカードを制御して認証算出を行い、そして、算出した認証結果をユーザーアクセスユニット４１２に返する。
【００７６】
ユーザーアクセスユニット４１２は認証結果を多重チャネル通信装置４３に返する。
【００７７】
多重チャネル通信装置４３はこの認証結果を利用して通信事業者システムの認証をパスし、サービスチャネルを確立し、これによって、このサービスチャネルを介してユーザーが要求したサービスを取得する。
【００７８】
本発明の一実施例として、ユーザー身分識別情報の共有をよく実現するために、決済を便利にするように、ユーザーが取得したサービスの流量、費用等に対して管理する必要がある。
【００７９】
流量課金管理ユニット４１５はユーザーアクセスユニット４１２にアクセスしたユーザーの通信流量及び費用情報を管理する。
【００８０】
ＳＩＭ呼出管理システム４１には、ユーザーのＳＩＭ呼出管理システム４１の登録情報、例えば、口座の開き、口座の閉じ、購入したサービス種類等の情報を記憶するための、ユーザー情報データベース４１６が含まれてもよい。
【００８１】
無論、ユーザー情報データベース４１６はＳＩＭ呼出管理システム４１に設置することなく、ＳＩＭ呼出管理システム４１によって検索されて呼び出されてもよい。
【００８２】
本発明の一実施例として、ユーザーアクセスユニット４１２はユーザー情報データベース４１６に記憶されたユーザーの登録情報を検索して、アクセスを要求したユーザーに対して認証することができる。
【００８３】
図７には、本発明の一実施例による多重チャネル通信装置の構成を示し、説明の都合上、本発明の実施例に関連する部分のみを示した。
【００８４】
本発明の実施例において、多重チャネル通信装置４３は少なくとも確立管理チャネル及びサービスチャネルの２つの通信チャネルの機能を有する。
管理チャネル確立ユニット４３１は多重チャネル通信装置４３に挿入されたＳＩＭカードによって対応する通信事業者システムと通信し、通信事業者システムが提供したネットワークサービスによってＳＩＭ呼出管理システム４１とのＩｎｔｅｒｎｅｔ又はＩｎｔｒａｎｅｔ接続を実現し、これによって、ＳＩＭ呼出管理システム４１との間の管理チャネルを確立する。
【００８５】
本発明の一実施例として、具体的に実現する場合、管理チャネル確立ユニット４３１は少なくとも１つのＳＩＭカードスロット、及びこのＳＩＭカードスロットに接続されるＳＩＭカード読書きチップを含み、ＳＩＭカードスロットにユーザーのＳＩＭカードが挿入されることができる。多重チャネル通信装置４３はこのＳＩＭカードによって対応する通信事業者システムと通信し、管理チャネルとして、ＳＩＭ呼出管理システム４１との間の通信を実現する通信チャネルを確立する。
【００８６】
本発明の一実施例として、多重チャネル通信装置４３はＷＩＦＩネットワーク、Ｃａｂｌｅ又はイントラネット等の他のネットワークを介して対応する通信事業者システムと通信して、管理チャネルを確立してもよい。
【００８７】
ＳＩＭデータロードユニット４３２はローカル的に実体のＳＩＭカードが挿入されたことと同様なＳＩＭ操作を完成し、そして、管理チャネルを介してＳＩＭ呼出管理システム４１にユーザー端末がある位置及び要求されたサービス種類等のサービス要求情報を送信し、ＳＩＭ呼出管理システム４１がユーザーに配分したＳＩＭカードパラメータを受信し、ＳＩＭデータ遠隔呼出及びローカルロードを完成する。
【００８８】
認証算出ユニット４３３はこのＳＩＭカードパラメータによって対応する通信事業者システム接続と通信し、この通信事業者システムが返した認証要求を受信し、認証要求には、認証パケット、例えば、乱数、認証秘密キー等が含まれる。
【００８９】
認証算出ユニット４３３は管理チャネルを介して認証パケットをＳＩＭ呼出管理システム４１に送信し、ＳＩＭ呼出管理システム４１が返した認証結果を受信する。
【００９０】
サービスチャネル確立ユニット４３４はＳＩＭデータロードユニット４３２が取得したＳＩＭカードパラメータ及び認証算出ユニット４３３が取得した認証結果を利用して、ＳＩＭカードパラメータに対応する通信事業者システムと通信し、サービスチャネルを確立する。
【００９１】
本発明の１つの好ましい実施例として、多重チャネル通信装置４３は、サービスチャネル確立ユニット４３４と通信事業者システムとが確立したサービスチャネルを他の装置に提供して使用するサービスチャネル共有ユニット４３５を更に有する。サービスチャネル共有ユニット４３５は多重チャネル通信装置４３が提供した少なくとも１つのネットワーク通信インターフェースを介してサービスチャネルから取得したサービス、例えばインターネットデータアクセスサービスを、ＢＴ、ＷＩＦＩ、ＮＦＣ等の形式で他のユーザーに共有することができる。
【００９２】
本発明の他の一実施例として、個人又はグループは、ＳＩＭを、ＳＩＭカード読書き装置４２（ＳＩＭ  Ｒａｃｋ、ＳＩＭ  Ａｒｒａｙ又はＳＩＭ  Ｂｏｘ）又は多重チャネル通信装置４３に挿入し、ＳＩＭ呼出管理システム４１によって呼出されることができるＳＩＭとなるようにする。他のユーザーがＳＩＭ呼出管理システム４１を介してこのＳＩＭを動的に呼出する場合、ある時間帯内にこのＳＩＭが有するサービスを取得し、ＳＩＭの共有を実現することができる。
【００９３】
本発明の実施例において、共有のためのＳＩＭカードは個人又はグループを介して様々なＳＩＭカード装置によって提供されてもよく、例えば、個人は多重チャネル通信装置４３によって個人が有するＳＩＭカードを挿入し、グループはＳＩＭカード読書き装置４２等によってグループが有する１ロットのＳＩＭカードを挿入してもよい。
【００９４】
ＳＩＭカード読書き装置４２に挿入されたＳＩＭカードは国家及び通信事業者に限られなく、すべてのこれらのＳＩＭカード情報及び関連するサービス情報、例えば、プラン、費用等がＳＩＭ呼出管理システム４１によって画一的に管理、呼出及び配分される。
【００９５】
ＳＩＭ呼出管理システム４１はＳＩＭカード読書き装置４２、コンピュータ、スマートフォン、タブレット、及び多重チャネル通信装置４３に実行されるクライアントによって、地理位置、業務種類、価格、時間帯、共有対象（指定ユーザー）等を含む、個人又はグループが設定して共有する要求を取得することができる。
【００９６】
ＳＩＭ呼出管理システム４１は呼出状況及びユーザー使用状況によって、ＳＩＭ共有の課金、決済、勘定等を自動的に完成する。
【００９７】
以下、個人がＳＩＭを共有することを例として説明する。
【００９８】
まず、ユーザーはＳＩＭ呼出管理システム４１のユーザーとして登録し、個人ユーザーの使用に適するＳＩＭカード読書き装置４２（ＳＩＭ  Ｂｏｘ）を用いて１枚又は複数枚のＳＩＭカードを挿入する。
【００９９】
そして、Ｉｎｔｅｒｎｅｔに接続可能なコンピュータにＳＩＭ  Ｂｏｘを接続させ、ＳＩＭサービスを提供した時間帯にＩｎｔｅｒｎｅｔに接続できることを保証し、又は、共有が必要となるＳＩＭカードを多重チャネル通信装置４３に挿入し、多重チャネル通信装置４３によってＷＩＦＩ、２Ｇ、３Ｇ、４Ｇ等の多種のアクセス形式によりＩｎｔｅｒｎｅｔにアクセスする。
【０１００】
次に、ユーザーはコンピュータ、スマートフォン又は多重チャネル通信装置４３でのクライアントを実行させ、ＳＩＭカード属性、及びＳＩＭ共有の提供時間帯を設定する。クライアントは自動的にローカルなインターネットＩＰ（固定ＩＰ及び動的ＩＰをサポートする）アドレス及び対応するＳＩＭカード属性情報、他のアクセス可能なインターネットのサービスＩＤ、例えば、ＷＩＦＩホットスポット情報、Ｃａｂｌｅ通信事業者等をＳＩＭ呼出管理システム４１に登録する。
【０１０１】
ＳＩＭ呼出管理システム４１は他のユーザーの要求に応じて、自動にこのＳＩＭを呼出して他のユーザーに配分してサービスを提供する。
ユーザーはコンピュータ、スマートフォン又は多重チャネル通信装置４３に実行されるクライアントを介して、既に共有された流量等を含む、提供したサービスの使用状況を調べることができる。
【０１０２】
本発明の一実施例として、ユーザーは多重チャネル通信装置４３によってＳＩＭを共有してもよい。
【０１０３】
ユーザーがどこかに行っても、任意の国家にローミングしても、まず多重チャネル通信装置４３によってＳＩＭ呼出管理システム４１との接続を確立し、アクセス方式は２Ｇ、３Ｇ、４Ｇ等の移動アクセスでよく、ＢＴ、ＷＩＦＩ等の通信形態を介してＩｎｔｅｒｎｅｔにアクセス可能な他の装置とＳＩＭ呼出管理システム４１との接続を確立してもよい。
【０１０４】
多重チャネル通信装置４３はローカル位置に基づく様々な事業者情報、例えば、ＭＮＣ、信号強さ、ＷＩＦＩ  ＳＳＩＤ等、及びユーザーがＳＩＭ呼出管理システム４１に登録したユーザーＩＤ等をＳＩＭ呼出管理システム４１にアップロードすることができる。
ＳＩＭ呼出管理システム４１は多重チャネル通信装置４３がアップロードした情報に応じて、適合なＳＩＭを呼出して多チャネル多アクセスの通信端末にダウンロードする。
【０１０５】
多重チャネル通信装置４３はダウンロードしたＳＩＭによって対応する通信事業者を自動的にアクセスし、Ｉｎｔｅｒｎｅｔ接続又は他のＳＩＭが提供したサービスを確立し、そして、ＷＩＦＩ、ＢＴ、ＮＦＣ、ＵＳＢ等を介してユーザーの携帯電話、ＰＡＤ、コンピュータ等にＩｎｔｅｒｎｅｔ又は通信事業者が提供した他の音声、データ、ビデオ電話等のサービスを提供する。
【０１０６】
ユーザーは、ＳＩＭ呼出管理システム４１が提供したクライアントソフトウェアを、コンピュータ、スマートフォン、及び多重チャネル通信装置４３上に実行させ、既に使用した流量、ＳＩＭ呼出管理システム４１での信用等のユーザーのサービス使用状況を調べることができる。
【０１０７】
図８には、本発明の一実施例によるＳＩＭ共有の実現フローを示す。詳細は以下の通りである。
【０１０８】
１．多重チャネル通信装置は、挿入されたＳＩＭカードによって対応する通信事業者ＳＰ１に接続され、通信事業者ＳＰ１が提供したネットワーク接続サービスを取得し、管理チャネルを確立する。
【０１０９】
２．多重チャネル通信装置は、管理チャネルを介してＳＩＭ呼出管理システムに接続され、通信事業者ＳＰ２のサービスを取得するサービス要求情報を送信し、情報には、ユーザーの現在位置、要求されたサービス種類等が含まれている。
【０１１０】
３．ＳＩＭ呼出管理システムは、多重チャネル通信装置へ通信事業者ＳＰ２のサービスを提供することができるＳＩＭを返する。
【０１１１】
４．多重チャネル通信装置は、サーバーが配分したＳＩＭによって通信事業者ＳＰ２に登録する。
【０１１２】
５．通信事業者ＳＰ２は、多重チャネル通信装置へ乱数、認証秘密キー等を含む、対応するＳＩＭカードに算出させる必要がある認証パケットの認証要求を返する。
【０１１３】
６．多重チャネル通信装置は、管理チャネルを介してＳＩＭ呼出管理システムにＳＩＭカードに算出させる必要がある認証パケットを供給する。
【０１１４】
７．ＳＩＭ呼出管理システムは、対応するＳＩＭカード読書き装置に認証パケットを供給する。
【０１１５】
８．ＳＩＭカード読書き装置は、認証パケットを算出するように対応するＳＩＭカードを制御し、認証結果を取得する。
【０１１６】
９．ＳＩＭカード読書き装置は、ＳＩＭ呼出管理システムに認証結果を返する。
【０１１７】
１０．ＳＩＭ呼出管理システムは、多重チャネル通信装置に認証結果を返する。
【０１１８】
１１．多重チャネル通信装置は、通信事業者ＳＰ２に認証情報を提供する。
【０１１９】
１２．通信事業者ＳＰ２は認証をパスする。
【０１２０】
１３．多重チャネル通信装置と通信事業者ＳＰ２との間に、サービスチャネルが確立される。
【０１２１】
１４．多重チャネル通信装置は、サービスチャネルを介して通信事業者ＳＰ２が提供したサービスを取得する。
【０１２２】
１５．多重チャネル通信装置は、管理チャネルを介してＳＩＭ呼出管理システムに業務情報をアップロードする。
【０１２３】
１６．多重チャネル通信装置は、必要に応じて通信事業者ＳＰ１のサービスを中断し、又は同時サービスを保持する。
【０１２４】
本発明の一実施例として、ユーザーは、多重チャネル通信装置４３によって複数のＳＩＭをロードし、必要に応じて複数のＳＩＭの異なる業務の動的な組み合わせを取得することができ、例えば、ＳＩＭ１の音声サービス、ＳＩＭ２のデータサービス、ＳＩＭ３のＭＭＳ及びビデオサービス、並びにＳＩＭ４の音楽サービスと電子書物サービス等が挙げられる。実現フローは図９に示す。詳細は以下の通りである。
【０１２５】
１．多重チャネル通信装置は、挿入されたＳＩＭカードによって対応する通信事業者ＳＰ１に接続され、通信事業者ＳＰ１が提供したネットワーク接続サービスを取得し、管理チャネルを確立する。
【０１２６】
２．多重チャネル通信装置は、管理チャネルを介してＳＩＭ呼出管理システムに接続され、通信事業者ＳＰ２のサービスＳ２、通信事業者ＳＰ３のサービスＳ３…通信事業者ＳＰｎのサービスＳｎを取得する要求情報を取得し、情報には、ユーザーの現在位置、各通信事業者にそれぞれ要求して提供させるサービスの種類等が含まれている。
【０１２７】
３．ＳＩＭ呼出管理システムは、多重チャネル通信装置へ通信事業者ＳＰ２のサービスを提供できるＳＩＭ２、通信事業者ＳＰ３のサービスを提供できるＳＩＭ３…提供通信事業者ＳＰｎのサービスを提供できるＳＩＭｎを返する。
【０１２８】
４．多重チャネル通信装置は、サーバーが配分したＳＩＭ２、ＳＩＭ３…ＳＩＭｎによって通信事業者ＳＰ２、ＳＰ３…ＳＰｎに登録する。
【０１２９】
５．通信事業者ＳＰ２、ＳＰ３…ＳＰｎは、それぞれ多重チャネル通信装置に乱数、認証秘密キー等を含む、対応するＳＩＭカードに算出させる必要がある認証パケットの認証要求を返する。
【０１３０】
６．多重チャネル通信装置は、管理チャネルを介してＳＩＭ呼出管理システムにＳＩＭカードに算出させる必要がある認証パケットを供給する。
【０１３１】
７．ＳＩＭ呼出管理システムは、対応するＳＩＭカード読書き装置に認証パケットを供給する。
【０１３２】
８．ＳＩＭカード読書き装置は、認証パケットを算出するように、対応するＳＩＭカード２、ＳＩＭカード３…ＳＩＭカードｎを制御し、認証結果を取得する。
【０１３３】
９．ＳＩＭカード読書き装置は、ＳＩＭ呼出管理システムに認証結果を返する。
【０１３４】
１０．ＳＩＭ呼出管理システムは、多重チャネル通信装置に認証結果を返する。
【０１３５】
１１．多重チャネル通信装置は、それぞれ通信事業者ＳＰ２、ＳＰ３…ＳＰｎに認証結果を提供する。
【０１３６】
１２．通信事業者ＳＰ２、ＳＰ３…ＳＰｎは認証をパスする。
【０１３７】
１３．多重チャネル通信装置と通信事業者ＳＰ２、ＳＰ３…ＳＰｎとの間にそれぞれサービスチャネルが確立される。
【０１３８】
１４．多重チャネル通信装置は、各通信事業者と確立されたサービスチャネルを介して通信事業者ＳＰ２、ＳＰ３…ＳＰｎが提供したサービスを取得する。
【０１３９】
１５．多重チャネル通信装置は、管理チャネルを介してＳＩＭ呼出管理システムに業務情報をアップロードする。
【０１４０】
１６．多重チャネル通信装置は、必要に応じてＳＰ１のサービスを中断し、又は同時サービスを保持する。
【０１４１】
本発明の実施例において、ユーザーは必要に応じて適合なユーザー身分識別情報、例えば、ＳＩＭを取得し、個人又はグループユーザーの身分識別情報が有するサービスの共有を実現することによって、異なる国同士間や異なるネットワーク（通信事業者）同士間、異なる技術標準同士間、異なる業務（データ、音声、ビデオ等）同士間のネットワークアクセスサービスを取得することができる。
【０１４２】
当業者は、上述した実施例におけるすべて又は一部の方法の実現について、コンピュータのプログラムコマンドによって関連したハードウェアを指示して完成することができ、前記プログラムがコンピュータの読み取り可能な記憶媒体に記憶されていることができ、このプログラムが実行されたとき、上述した各態様の実施例の手順を含むことができることが理解すべきである。前記記憶媒体は、磁気ディスク、光ディスク、読出し専用メモリー（Ｒｅａｄ−Ｏｎｌｙ  Ｍｅｍｏｒｙ，ＲＯＭ）又はランダムアクセスメモリ（Ｒａｎｄｏｍ  Ａｃｃｅｓｓ  Ｍｅｍｏｒｙ，ＲＡＭ）等でよい。
【０１４３】
以上は本発明の好適な実施例だけであり、本発明を制限するものではなく、本発明の精神及び原則の範囲で行ったいずれかの修正や同等の置き換え、改良等も本発明の保護範囲に含まれるはずである。
【図１】
0005978273.tif 000002
【図２】
0005978273.tif 000003
【図３】
0005978273.tif 000004
【図４】
0005978273.tif 000005
【図５】
0005978273.tif 000006
【図６】
0005978273.tif 000007
【図７】
0005978273.tif 000008
【図８】
0005978273.tif 000009
【図９】
0005978273.tif 000010